(57)【特許請求の範囲】
【請求項１】
第１および第２の映像入力端子、映像出力端子、およびバッファを備えたプロジェクターであって、
前記第１の映像入力端子を介して入力される映像信号を第１の入力とし、前記第２の映像入力端子を介して入力される映像信号を第２の入力とし、これら入力のいずれかを選択して出力するスイッチと、
前記バッファから前記映像出力端子を介して出力された映像信号を用いた処理を行う接続先装置の動作状態を検出するためのインタフェースと、
前記バッファへの電力供給を制御する制御部と、を有し、
前記制御部は、
前記接続先装置の状態が前記映像信号を処理する起動状態に無いことを示すものである場合に、前記バッファへの電力供給を停止し、
前記接続先装置の状態が前記起動状態にあることを検出した場合に、前記スイッチを制御し、前記スイッチから映像信号が出力されるか否かを監視し、前記スイッチにて前記第１の入力を選択させた第１の状態および前記スイッチにて前記第２の入力を選択させた第２の状態のいずれにおいても、前記スイッチから映像信号が出力されない場合に、前記バッファへの電力供給を停止する、プロジェクター。
【請求項２】
前記制御部は、前記第１の状態において、前記スイッチから映像信号が出力されない場合に、前記スイッチにて前記第２の入力を選択させる、請求項１に記載のプロジェクター。
【請求項３】
第１および第２の映像入力端子、映像出力端子、およびバッファを備えたプロジェクターであって、
前記第１の映像入力端子を介して入力される映像信号を第１の入力とし、前記第２の映像入力端子を介して入力される映像信号を第２の入力とし、これら入力のいずれかを選択して出力するスイッチと、
前記スイッチの出力を入力とし、前記スイッチから映像信号が供給されたか否かを判定する信号検出部と、
前記バッファから前記映像出力端子を介して出力された映像信号を用いた処理を行う接続先装置の動作状態を検出するためのインタフェースと、
前記バッファへの電力供給を制御する制御部と、を有し、
前記制御部は、
スタンバイ状態において、
前記接続先装置の状態が前記映像信号を処理する起動状態に無いことを示すものである場合に、前記バッファへの電力供給を停止し、
前記接続先装置の状態が前記起動状態であることを検出した場合であって、前記第１および第２の状態のいずれにおいても、前記信号検出部にて映像信号が検出されない場合に、前記バッファへの電力供給を停止し、
前記接続先装置の状態が前記起動状態であることを検出した場合であって、前記第１および第２の状態のいずれかにおいて、前記信号検出部にて映像信号が検出される場合に、前記バッファへの電力供給を行う、プロジェクター。
【請求項４】
発光素子をさらに有し、
前記制御部は、
前記第１の状態において、前記信号検出部にて映像信号が検出された場合は、前記スイッチを前記第１の状態で維持するとともに、第１の点灯パターンで前記発光素子を点灯させ、
前記第２の状態において、前記信号検出部にて映像信号が検出された場合は、前記スイッチを前記第２の状態で維持するとともに、前記第１の点灯パターンとは異なる第２の点灯パターンで前記発光素子を点灯させる、請求項３に記載のプロジェクター。
【請求項５】
第１および第２の映像出力端子と第１および第２のバッファを備えたプロジェクターであって、
前記第１のバッファから前記第１の映像出力端子を介して出力された第１の映像信号または前記第２のバッファから前記第２の映像出力端子を介して出力された第２の映像信号を用いた処理を行う接続先装置の動作状態を検出するためのインタフェースと、
前記第１および第２のバッファへの電力供給を制御する制御部と、を有し、
前記制御部は、
前記接続先装置の状態が前記第１のバッファからの前記第１の映像信号を処理する状態にあることを示す第１の起動状態および前記第２のバッファからの前記第２の映像信号を処理する状態にあることを示す第２の起動状態のいずれでもない場合に、前記第１および第２のバッファへの電力供給を停止し、
前記接続先装置が前記第１の起動状態である場合は、前記第１のバッファへの電力供給を行うとともに前記第２のバッファへの電力供給を停止し、前記接続先装置が前記第２の起動状態である場合には、前記第２のバッファへの電力供給を行うとともに前記第１のバッファへの電力供給を停止する、プロジェクター。
【請求項６】
前記第１の映像信号が供給される第１および第２の映像入力端子と、
前記第２の映像信号が供給される第３および第４の映像入力端子と、
前記第１の映像入力端子を介して入力される映像信号を第１の入力とし、前記第２の映像入力端子を介して入力される映像信号を第２の入力とし、これら入力のいずれかを選択して出力する第１のスイッチと、
前記第３の映像入力端子を介して入力される映像信号を第１の入力とし、前記第４の映像入力端子を介して入力される映像信号を第２の入力とし、これら入力のいずれかを選択して出力する第２のスイッチと、をさらに有し、
前記制御部は、
前記第１および第２のスイッチを制御するとともに、前記第１および第２のスイッチから映像信号が出力されるか否かを監視し、
前記第１のスイッチにて前記第１の入力を選択させた第１の状態および前記第１のスイッチにて前記第２の入力を選択させた第２の状態のそれぞれにおいて、前記第１のスイッチから映像信号が出力される状態を検出できない場合は、前記第１のバッファへの電力供給を停止し、
前記第２のスイッチにて前記第１の入力を選択させた第３の状態および前記第２のスイッチにて前記第２の入力を選択させた第４の状態のそれぞれにおいて、前記第２のスイッチから映像信号が出力される状態を検出できない場合は、前記第２のバッファへの電力供給を停止する、請求項５に記載のプロジェクター。
【請求項７】
前記第１のスイッチの出力を入力とし、前記第１のスイッチから映像信号が供給されたか否かを判定する第１の信号検出部と、
前記第２のスイッチの出力を入力とし、前記第２のスイッチから映像信号が供給されたか否かを判定する第２の信号検出部とを、さらに有し、
前記制御部は、
スタンバイ状態において、
前記接続先装置の状態が前記第１の起動状態にあることを検出した場合は、前記第１および第２の状態のいずれかにおいて、前記第１の信号検出部にて映像信号が検出されると、前記第１のバッファへの電力供給を行い、
前記接続先装置の状態が前記第２の起動状態であることを検出した場合には、前記第３および第４の状態のいずれかにおいて、前記第２の信号検出部にて映像信号が検出されると、前記第２のバッファへの電力供給を行う、請求項６に記載のプロジェクター。
【請求項８】
互いに点灯色の異なる第１および第２の発光素子をさらに有し、
前記制御部は、
前記第１の状態において、前記第１の信号検出部にて映像信号が検出された場合は、前記第１のスイッチを前記第１の状態で維持するとともに、第１の点灯パターンで前記第１の発光素子を点灯させ、
前記第２の状態において、前記第１の信号検出部にて映像信号が検出された場合は、前記第１のスイッチを前記第２の状態で維持するとともに、前記第１の点灯パターンとは異なる第２の点灯パターンで前記第１の発光素子を点灯させ、
前記第３の状態において、前記第２の信号検出部にて映像信号が検出された場合は、前記第２のスイッチを前記第３の状態で維持するとともに、第３の点灯パターンで前記第２の発光素子を点灯させ、
前記第４の状態において、前記第２の信号検出部にて映像信号が検出された場合は、前記第２のスイッチを前記第４の状態で維持するとともに、前記第３の点灯パターンとは異なる第４の点灯パターンで前記第２の発光素子を点灯させる、請求項７に記載のプロジェクター。
【請求項９】
第１および第２の映像入力端子と、前記第１の映像入力端子を介して入力される映像信号を第１の入力とし、前記第２の映像入力端子を介して入力される映像信号を第２の入力とし、これら入力のいずれかを選択して出力するスイッチと、映像出力端子と、バッファとを備えたプロジェクターの電源制御方法であって、
前記バッファから前記映像出力端子を介して出力された映像信号を用いた処理を行う接続先装置の動作状態を検出し、
前記接続先装置の状態が前記映像信号を処理する起動状態に無いことを示すものである場合に、前記バッファへの電力供給を停止し、
前記接続先装置の状態が前記起動状態にあることを検出した場合に、前記スイッチを制御し、前記スイッチから映像信号が出力されるか否かを監視し、前記スイッチにて前記第１の入力を選択させた第１の状態および前記スイッチにて前記第２の入力を選択させた第２の状態のいずれにおいても、前記スイッチから映像信号が出力されない場合に、前記バッファへの電力供給を停止する、プロジェクターの電源制御方法。
【発明の詳細な説明】
【技術分野】
【０００１】
本発明は、パーソナルコンピュータやビデオデッキ等の映像供給装置からの映像信号に基づく画像をプロジェクターで表示する際の電源制御技術に関する。
【背景技術】
【０００２】
特開２００６−２５８８３３号公報（特に図５参照）には、２台の液晶プロジェクターを備え、一方の液晶プロジェクター（以下、ＰＪ１と記す）の映像出力端子が他方の液晶プロジェクター（以下、ＰＪ２と記す）の映像入力端子に接続されたシステムが記載されている。このシステムでは、パーソナルコンピュータが、液晶プロジェクターＰＪ１に接続される。パーソナルコンピュータからの映像信号に基づく画像が、液晶プロジェクターＰＪ１、ＰＪ２の一方または双方で表示される。
【発明の開示】
【０００３】
一般に、プロジェクターでは、入力映像信号に対して当該プロジェクターにて表示するのに必要な処理が映像処理回路にて行われ、該処理が施された映像信号が格納される画像表示用のバッファが設けられているが、これとは別に、入力映像信号をそのまま映像出力端子に供給するための外部出力用のバッファが設けられている。このようなプロジェクターにおいては、フル稼働状態だけでなく、主電源オン、電源オフとされるスタンバイ状態（メモリ等にのみ電力が供給される省電力モード状態）においても、外部出力用のバッファへの電力供給が行われる。
【０００４】
ところで、特開２００６−２５８８３３号公報に記載のような接続がなされた２台のプロジェクターＰＪ１、ＰＪ２を会議室等に常設し、ユーザが、それらプロジェクターＰＪ１、ＰＪ２を自由に利用できるようにした利用形態が提供されている。ユーザは、自身のパーソナルコンピュータをプロジェクターＰＪ１に接続することで、パーソナルコンピュータから出力された映像信号に基づく画像をプロジェクターＰＪ１、ＰＪ２の一方または双方にて投射させることができる。
【０００５】
しかし、上記の利用形態において、プロジェクターＰＪ１では、接続先であるプロジェクターＰＪ２の動作状態に関係なく、外部出力用のバッファへの電力供給が行われるため、無駄に電力が消費される場合がある。
【０００６】
例えば、プロジェクターＰＪ１でのみ画像を投射する場合で、プロジェクターＰＪ２がスタンバイ状態である場合は、プロジェクターＰＪ１は映像信号をプロジェクターＰＪ２へ出力する必要がない。しかし、プロジェクターＰＪ１では、プロジェクターＰＪ２がスタンバイ状態であっても、外部出力用のバッファへの電力供給が行われるようになっており、その分、無駄に電力が消費される。また、プロジェクターＰＪ１、ＰＪ２が共にスタンバイ状態である場合も、プロジェクターＰＪ１では、外部出力用のバッファへの電力供給が行われるため、無駄な電力消費が生じる。
【０００７】
本発明の目的は、上記問題を解決し、消費電力を削減することのできる、プロジェクターおよび電源制御方法を提供することにある。
【０００８】
上記目的を達成するため、本発明のプロジェクターは、第１および第２の映像入力端子、映像出力端子、およびバッファを備えたプロジェクターであって、
前記第１の映像入力端子を介して入力される映像信号を第１の入力とし、前記第２の映像入力端子を介して入力される映像信号を第２の入力とし、これら入力のいずれかを選択して出力するスイッチと、
前記バッファから前記映像出力端子を介して出力された映像信号を用いた処理を行う接続先装置の動作状態を検出するためのインタフェースと、
前記バッファへの電力供給を制御する制御部と、を有し、
前記制御部は、
前記接続先装置の状態が前記映像信号を処理する起動状態に無いことを示すものである場合に、前記バッファへの電力供給を停止し、
前記接続先装置の状態が前記起動状態にあることを検出した場合に、前記スイッチを制御し、前記スイッチから映像信号が出力されるか否かを監視し、前記スイッチにて前記第１の入力を選択させた第１の状態および前記スイッチにて前記第２の入力を選択させた第２の状態のいずれにおいても、前記スイッチから映像信号が出力されない場合に、前記バッファへの電力供給を停止することを特徴とする。
【０００９】
また、本発明の電源制御方法は、第１および第２の映像入力端子と、前記第１の映像入力端子を介して入力される映像信号を第１の入力とし、前記第２の映像入力端子を介して入力される映像信号を第２の入力とし、これら入力のいずれかを選択して出力するスイッチと、映像出力端子と、バッファとを備えたプロジェクターの電源制御方法であって、
前記バッファから前記映像出力端子を介して出力された映像信号を用いた処理を行う接続先装置の動作状態を検出し、
前記接続先装置の状態が前記映像信号を処理する起動状態に無いことを示すものである場合に、前記バッファへの電力供給を停止し、
前記接続先装置の状態が前記起動状態にあることを検出した場合に、前記スイッチを制御し、前記スイッチから映像信号が出力されるか否かを監視し、前記スイッチにて前記第１の入力を選択させた第１の状態および前記スイッチにて前記第２の入力を選択させた第２の状態のいずれにおいても、前記スイッチから映像信号が出力されない場合に、前記バッファへの電力供給を停止することを特徴とする。
【図面の簡単な説明】
【００１０】
【図１】本発明の第１の実施形態であるプロジェクターの構成を示すブロック図である。
【図２】図１に示すプロジェクターの制御部による電源制御の動作の一例を示すフローチャートである。
【図３】本発明の第２の実施形態であるプロジェクターの構成を示すブロック図である。
【図４】図３に示すプロジェクターの制御部による電源制御および入力切替を含む一連の動作を示すフローチャートである。
【図５】本発明の第３の実施形態であるプロジェクターの構成を示すブロック図である。
【図６】図５に示すプロジェクターの制御部による電源制御および入力切替を含む一連の動作を示すフローチャートである。
【図７】２台のプロジェクターを接続した状態を示す模式図である。
【符号の説明】
【００１１】
１  プロジェクター
１０、１１  映像入力端子
１２  信号入出力端子
１３  Ａ／Ｄ変換部
１４  バッファ
２０  制御部
２１  Ａ／Ｄ用電源供給部
２２  バッファ用電源供給部
２３  接続先装置状態検出部
２４  電源制御部
【発明を実施するための最良の形態】
【００１２】
次に、本発明の実施形態について図面を参照して説明する。【００１３】
（第１の実施形態）
図１は、本発明の第１の実施形態であるプロジェクターの構成を示すブロック図である。図１を参照すると、プロジェクター１は、映像入力端子１０、映像出力端子１１、信号入出力端子１２、Ａ／Ｄ変換部１３、バッファ１４および制御部２０を有する。なお、光源からの光束で照明される表示デバイス、この表示デバイスで形成された映像信号に基づく画像をスクリーン上に投写する投写レンズ、入力信号に対して映像信号処理を行う映像信号処理回路、表示デバイスを駆動する駆動回路等は、よく知られている構成であるため、省略されている。【００１４】
映像入力端子１０は、外部映像供給装置（例えば、パーソナルコンピュータや別のプロジェクターなど）の映像出力端子に接続される。映像入力端子１０に入力された映像信号はＡ／Ｄ変換部１３に供給されるとともに、バッファ１４を介して映像出力端子１１に供給される。映像信号は、例えば、コンポーネントビデオ信号であり、より具体的には、アナログＲＧＢ信号（光の三原色に対応する信号）である。【００１５】
Ａ／Ｄ変換部１３は、映像入力端子１０から供給される映像信号をＡ／Ｄ変換する。Ａ／Ｄ変換された映像信号は、制御部２０内の映像処理回路（不図示）に供給される。バッファ１４は、映像入力端子１０から供給される映像信号を一時的に保持する。【００１６】
制御部（ＣＰＵ：Central  Processing  Unit  ）２０は、プロジェクター１全体の動作を制御するものであって、Ａ／Ｄ用電源供給部２１、バッファ用電源供給部２２、接続先装置状態検出部２３および電源制御部２４を有する。Ａ／Ｄ用電源供給部２１は、Ａ／Ｄ変換部１３に電力を供給する。バッファ用電源供給部２２は、バッファ１４に電力を供給する。【００１７】
接続先装置状態検出部２３は、映像出力端子１１に接続された装置（別のプロジェクター）と信号入出力端子１２を介して接続される。接続先装置状態検出部２３は、例えばＲＳ２３２Ｃ用のインタフェースや、ＶＥＳＡ(Video  Electronic  Standard  Association)により定められているＣＣＤ／ＣＩ（Display  Data  Channel  Command  Interface）等のインタフェースを備え、このインタフェースを通じて、接続先であるプロジェクターの動作状態（起動状態等）を検出する。接続先装置状態検出部２３による接続先装置の動作状態の検出は、一定時間毎に実施される。接続先装置状態検出部２３は、接続先装置の動作状態を示す動作状態情報を電源制御部２４に供給する。ここで、起動状態は、接続先装置が映像出力端子から出力される映像信号を受け付けて処理することが可能な状態、より具体的には、映像信号に基づく画像を投写することが可能な状態である。【００１８】
電源制御部２４は、一定時間毎に、接続先装置状態検出部２３から接続先装置の動作状態情報を受信する。電源制御部２４は、接続先装置状態検出部２３から供給された接続先装置の動作状態に応じて、バッファ用電源供給部２２によるバッファ１４への電力供給を制御する。【００１９】
次に、本実施形態のプロジェクターにおける電源制御の動作を説明する。【００２０】
図２に、制御部２０による電源制御の動作の一例を示す。【００２１】
図２を参照すると、まず、接続先装置状態検出部２３が接続先装置の動作状態を検出する（ステップＳ１０）。次に、電源制御部２４が、接続先装置状態検出部２３にて検出した動作状態に基づいて、接続先装置が起動状態であるか否かを判定する（ステップＳ１１）。【００２２】
ステップＳ１１で、接続先装置が起動状態であると判定した場合は、電源制御部２４は、バッファ用電源供給部２２によるバッファ１４への電源供給を行わせる（ステップＳ１２）。ステップＳ１１で、接続先装置が起動状態でないと判定した場合は、電源制御部２４は、バッファ用電源供給部２２によるバッファ１４への電源供給を停止させる（ステップＳ１３）。【００２３】
上記の電源制御によれば、映像出力端子１１に接続されたプロジェクターが起動状態でない場合は、バッファ用電源供給部２２によるバッファ１４への電源供給は行われないので、その分、消費電力を低減することができる。【００２４】
なお、図１に示した例は、ＲＧＢ信号に基づく画像を投射するものであるが、この構成は、ビデオ信号に基づく画像を投射する装置全般に適用することができる。ビデオ信号としてコンポジットビデオ信号（輝度情報や信号の同期情報を含む）を用いる場合は、Ａ／Ｄ変換部１３に代えてビデオデコーダが用いられ、Ａ／Ｄ用電源供給部２１に代えてデコーダ用電源供給部が用いられる。この場合も、図２に示した手順で電源制御が行われる。【００２５】
（第２の実施形態）
２系統の映像出力端子を備えるプロジェクターでは、一方の映像入力端子に入力された映像信号を一方の入力とし、他方の映像入力端子に入力された映像信号を他方の入力とし、これら入力のいずれかを選択して出力するスイッチが設けられる。このようなプロジェクターは、一般に、電源オフにより動作状態がスタンバイ状態になると、スイッチが電源オフ時の状態を維持するようになっている。このため、ユーザが、パーソナルコンピュータ等の映像供給装置をプロジェクターに接続した場合に、映像供給装置が接続された映像入力端子側の入力が、スイッチにて選択されていない場合がある。そのような場合は、映像供給装置が接続された映像入力端子側の入力がスイッチにて選択されるように、入力切替操作を行う必要がある。【００２６】
２系統の映像出力端子を備えるプロジェクター（以下、ＰＪ−Ａと記す）の映像出力端子を別のプロジェクター（以下、ＰＪ−Ｂと記す）の映像入力端子に接続したものを会議室等に常設した利用形態において、ユーザは、映像供給装置をプロジェクターＰＪ−Ａに接続して、映像供給装置からの映像信号に基づく画像をプロジェクターＰＪ−Ａ、ＰＪ−Ｂの一方または両方で投射することができる。【００２７】
上記の利用形態において、映像供給装置からの映像信号に基づく画像をプロジェクターＰＪ−Ｂで投射する場合で、プロジェクターＰＪ−Ａの、映像供給装置が接続された映像入力端子側の入力が、スイッチにて選択されていない場合は、ユーザは、プロジェクターＰＪ−Ａを起動して入力切替操作を行う必要がある。そのような入力切替操作は、ユーザにとって煩わしい。また、入力切替のために、プロジェクターＰＪ−Ａの電源を一旦入れることになるので、その分、プロジェクターＰＪ−Ａにおける消費電力が増大する。【００２８】
なお、プロジェクターＰＪ−Ａの、映像供給装置が接続された映像入力端子側の入力が、スイッチにて選択されていれば、プロジェクターＰＪ−Ａの入力切替は不要であり、上記のプロジェクターＰＪ−Ａにおける消費電力の増大の問題は生じない。【００２９】
以下では、入力切替を不要とし、消費電力の増大を抑制することが可能なプロジェクターを説明する。【００３０】
図３は、本発明の第２の実施形態であるプロジェクターの構成を示すブロック図である。【００３１】
本実施形態のプロジェクターは、映像入力端子としての２系統のＲＧＢ用の映像入力端子１０ａ、１０ｂと、スイッチ３０、３１、接続先装置状態検出部を構成するＤＤＣ／ＣＩ２３ａ、２３ｂ、および制御部２０内の入力切替制御部２５を有する点が、第１の実施形態のものと異なる。他の構成は、基本的に第１の実施形態のものと同じである。【００３２】
映像入力端子１０ａ、１０ｂおよび映像出力端子１１は、映像信号の送受信に加えて、ＤＤＣ信号を用いたコマンドの送受信が可能である。【００３３】
スイッチ３０は、映像入力端子１０ａに入力される映像信号を一方の入力とし、映像入力端子１０ｂに入力される映像信号を他方の入力とし、これら入力のいずれかを選択して出力する。スイッチ３０の出力は、Ａ／Ｄ変換部１３およびバッファ１４に供給される。Ａ／Ｄ変換部１３は、スイッチ３０からの映像信号の有無を検出する機能を有し、この検出結果を入力切替制御部２５に供給する。【００３４】
スイッチ３１は、映像入力端子１０ａに入力されるコマンドを一方の入力とし、映像入力端子１０ｂに入力されるコマンドを他方の入力とし、これら入力コマンドのいずれかを選択して出力する。スイッチ３１の出力は、ＤＤＣ／ＣＩ２３ａに供給される。ＤＤＣ／ＣＩ２３ａは、映像入力端子１０ａ、１０ｂに接続されたプロジェクターとの間で、ＤＤＣ信号を用いたコマンドを送受信する。ＤＤＣ／ＣＩ２３ｂは、映像出力端子１１に接続されたプロジェクターとの間で、ＤＤＣ信号を用いたコマンドを送受信する。【００３５】
接続先のプロジェクターの動作状態の検出は、ＤＤＣ／ＣＩ２３ｂによって行われる。具体的には、ＤＤＣ／ＣＩ２３ｂは、一定時間毎に、状態取得要求コマンドを、映像出力端子１１を通じて接続先であるプロジェクターに送信する。ここで、接続先のプロジェクターは図３に示した構成を有し、要求元のプロジェクターの映像出力端子１１が接続先のプロジェクターの映像入力端子１０ａに接続されているものと仮定する。【００３６】
接続先のプロジェクターでは、ＤＤＣ／ＣＩ２３ａが、映像入力端子１０ａおよびスイッチ３１を通じて、要求元のプロジェクターからの状態取得要求コマンドを受信する。そして、ＤＤＣ／ＣＩ２３ａが、その状態取得要求コマンドに応じて、自プロジェクターの動作状態を示す応答コマンドを、映像入力端子１０ａおよびスイッチ３１を通じて、要求元のプロジェクターに送信する。【００３７】
要求元のプロジェクターでは、ＤＤＣ／ＣＩ２３ｂが、映像出力端子１１を通じて、接続先のプロジェクターからの応答コマンドを受信する。この受信した応答コマンドに基づいて、接続先のプロジェクターの動作状態を知ることができる。【００３８】
再び、図３を参照する。入力切替制御部２５は、Ａ／Ｄ変換部１３からの検出結果に基づいてスイッチ３０、３１の入力を切り替える。具体的には、入力切替制御部２５は、スイッチ３０にて一方の入力が選択された第１の状態とスイッチ３０にて他方の入力が選択された第２の状態とのそれぞれにおいて、Ａ／Ｄ変換部１３からの検出結果を取得し、その検出結果に基づいて、映像入力端子１０ａ、１０ｂのどちらに映像信号が入力されているかを判定する。そして、入力切替制御部２５は、映像信号が供給されている映像入力端子側の入力を選択するようにスイッチ３０、３１をともに制御する。また、入力切替制御部２５は、スイッチ３０の入力切替制御の開始および終了を示す信号を電源制御部２４に供給する。【００３９】
電源制御部２４は、スタンバイ状態において、ＤＤＣ／ＣＩ２３ｂから供給された接続先のプロジェクターの動作状態に応じて、バッファ用電源供給部２２によるバッファ１４への電力供給を制御する。また、電源制御部２４は、映像入力端子１０ａ、１０ｂのいずれにも映像信号が入力されていない場合に、Ａ／Ｄ用電源供給部２１によるＡ／Ｄ変換部１３への電源供給およびバッファ用電源供給部２２によるバッファ１４への電力供給をともに停止させる。【００４０】
次に、本実施形態のプロジェクターの動作を説明する。【００４１】
図４に、制御部２０による電源制御および入力切替を含む一連の動作を示す。【００４２】
図４を参照すると、電源制御部２４が、自プロジェクターがスタンバイ状態であるか否かを判定する（ステップＳ２０）。自プロジェクターがスタンバイ状態である場合は、ＤＤＣ／ＣＩ２３ｂが、接続先の装置の動作状態を検出する（ステップＳ２１）。【００４３】
接続先の装置が起動状態である場合、電源制御部２４は、バッファ用電源供給部２２によるバッファ１４への電源供給を行わせた状態とする（ステップＳ２２、Ｓ２３）。その後、入力切替制御部２５が、映像入力端子１０ａ側の入力が選択されるようにスイッチ３０を制御し（ステップＳ２４）、Ａ／Ｄ変換部１３が、スイッチ３０からの映像信号の有無を判定する（ステップＳ２５）。【００４４】
ステップＳ２５にて映像信号有りと判定された場合は、電源制御部２４が、バッファ用電源供給部２２によるバッファ１４への電源供給を行わせた状態とし（ステップＳ２８）、Ａ／Ｄ用電源供給部２１によるＡ／Ｄ変換部１３への電源供給を停止させた状態とする（ステップＳ２９）。【００４５】
ステップＳ２５にて映像信号無しと判定された場合は、入力切替制御部２５が、映像入力端子１０ｂ側の入力が選択されるようにスイッチ３０を制御する（ステップＳ２６）。次に、Ａ／Ｄ変換部１３が、スイッチ３０からの映像信号の有無を検出する（ステップＳ２７）。【００４６】
ステップＳ２７にて映像信号有りと判定された場合は、ステップＳ２８へ移行する。ステップＳ２７にて映像信号無しと判定された場合は、電源制御部２４が、バッファ用電源供給部２２によるバッファ１４への電源供給を停止させた状態とし（ステップＳ３０）、その後、ステップＳ２９へ移行する。【００４７】
ステップＳ２２において接続先の装置が起動状態でない場合、電源制御部２４が、バッファ用電源供給部２２によるバッファ１４への電源供給およびＡ／Ｄ用電源供給部２１によるＡ／Ｄ変換部１３への電源供給をそれぞれ停止させた状態とする（ステップＳ３２）。【００４８】
ステップＳ２０においてスタンバイ状態でない場合、またはステップＳ２９、Ｓ３２のいずれかの処理が行われた場合は、一定時間待ち（ステップＳ３１）、その後、ステップＳ２０に移行する。【００４９】
上述の処理によれば、スタンバイ状態において、映像出力端子１１に接続されたプロジェクターが起動状態でない間は、バッファ用電源供給部２２によるバッファ１４への電源供給は行われないので、その分、消費電力を低減することができる。【００５０】
また、スタンバイ状態において、映像入力端子１０ａ、１０ｂのいずれにも映像信号が供給されていない場合は、バッファ用電源供給部２２によるバッファ１４への電源供給は行われないので、その分、消費電力を低減することができる。【００５１】
加えて、前述のプロジェクターＰＪ−Ａの映像出力端子をプロジェクターＰＪ−Ｂの映像入力端子に接続したものを会議室等に常設した利用形態において、以下のような効果もある。プロジェクターＰＪ−Ａ、ＰＪ−Ｂはともに、本実施形態のプロジェクターと同じ構成を有するものと仮定する。【００５２】
映像供給装置からの映像信号に基づく画像をプロジェクターＰＪ−Ｂで投射する場合で、プロジェクターＰＪ−Ａの、映像供給装置が接続された映像入力端子側の入力が、スイッチ３０にて選択されていない場合は、プロジェクターＰＪ−Ａにおいて、図４のステップＳ２３〜Ｓ３０の入力切替処理が行われる。この処理により、映像供給装置が接続された映像入力端子側の入力がスイッチ３０にて自動的に選択される。よって、ユーザは、プロジェクターＰＪ−Ａを一旦起動して入力切替操作を行う必要がない。【００５３】
また、入力切替処理中、Ａ／Ｄ用電源供給部２１によるＡ／Ｄ変換部１３への電源供給が行われるが、この入力切替処理に要する時間は、ユーザが、プロジェクターＰＪ−Ａを起動して入力切替操作を行う場合に要する時間に比べて極端に短い。よって、入力切替処理中における電力消費量は、ユーザが手動により入力切替を行う場合に比較して少ない。【００５４】
なお、プロジェクターＰＪ−Ａにおいて、ステップＳ２１の接続先装置の動作状態の検出を行う前に、接続先であるプロジェクターＰＪ−Ｂにおいて、プロジェクターＰＪ−Ａが接続された映像入力端子側の入力がスイッチ３０にて選択されている必要がある。このプロジェクターＰＪ−Ｂにおけるスイッチ３０の設定は、通常、ユーザが、プロジェクターＰＪ−Ｂを起動した際に行うが、プロジェクターＰＪ−Ｂを起動後、制御部２０が、図４に示したステップＳ２４〜Ｓ２７の処理を個別に実行してもよい。【００５５】
（第３の実施形態）
図５は、本発明の第３の実施形態であるプロジェクターの構成を示すブロック図である。【００５６】
本実施形態のプロジェクターは、第２の実施形態のものの構成に加えて、ビデオ信号用の処理部、ＬＥＤによる入力状態表示部およびＲＳ２３２Ｃを用いた通信処理部を備える。ビデオ信号用の処理部は、映像入力端子４０ａ、４０ｂ、映像出力端子４１、スイッチ３２、ビデオデコーダ３３、ビデオ用のバッファ３４、入力切替制御部２６、デコーダ用電源供給部２７およびバッファ用電源供給部２８を有する。入力状態表示部は、ＬＥＤ５０ａ、５０ｂおよびＬＥＤ制御部２９を有する。ＲＳ２３２Ｃを用いた通信処理部は、信号入出力端子４３およびＲＳ２３２Ｃインタフェース部６０からなる。【００５７】
スイッチ３２は、映像入力端子４０ａに供給される映像信号（ビデオ信号）を一方の入力とし、映像入力端子４０ｂに供給される映像信号（ビデオ信号）を他方の入力とし、これら入力のいずれかを選択して出力する。スイッチ３２の出力は、ビデオデコーダ３３およびビデオ用のバッファ３４に供給される。【００５８】
ビデオデコーダ３３は、スイッチ３２からの映像信号をデコードするものであって、スイッチ３２からの映像信号の有無を検出する機能を備えている。検出結果は、ビデオデコーダ３３から入力切替制御部２６に供給される。バッファ３４は、スイッチ３２からの映像信号を一時的に保持する。バッファ３４から出力された映像信号は、映像出力端子４１に供給される。【００５９】
デコーダ用電源供給部２７は、ビデオデコーダ３３に電力を供給する。バッファ用電源供給部２８は、バッファ３４に電力を供給する。ＲＳ２３２Ｃインタフェース部６０は、信号入出力端子４３を通じて、映像出力端子１１、４１のいずれかに接続された装置との相互通信が可能であり、その装置の動作状態を検出する。接続先装置の動作状態の検出は、ＲＳ２３２Ｃインタフェース部６０とＤＤＣ／ＣＩ２３ｂのどちらを用いてもよい。【００６０】
入力切替制御部２６は、ビデオデコーダ３３からの検出結果に基づいてスイッチ３２の入力を切り替える。具体的には、入力切替制御部２６は、スイッチ３２にて一方の入力が選択された第１の状態とスイッチ３２にて他方の入力が選択された第２の状態とのそれぞれにおいて、ビデオデコーダ３３からの検出結果を取得し、その検出結果に基づいて、映像入力端子４０ａ、４０ｂのどちらに映像信号が入力されているかを判定する。そして、入力切替制御部２６は、映像信号が供給されている映像入力端子側の入力を選択するようにスイッチ３２を制御する。また、入力切替制御部２６は、スイッチ３２の入力切替制御の開始および終了を示す信号を電源制御部２４に供給する。【００６１】
電源制御部２４は、自プロジェクターがスタンバイ状態であるか否かを判定し、スタンバイ状態である場合に、ＤＤＣ／ＣＩ２３ｂまたはＲＳ２３２Ｃインタフェース部から供給された接続先であるプロジェクターの動作状態に応じて、バッファ用電源供給部２２、２８によるバッファ１４、３４への電力供給およびＡ／Ｄ変換部１３、ビデオデコーダ３３への電源供給をそれぞれ制御する。さらに、電源制御部２４は、スタンバイ状態において、映像入力端子１０ａ、１０ｂのいずれにも映像信号が入力されていない場合は、Ａ／Ｄ変換部１３およびバッファ１４への電力供給を停止させ、映像入力端子４０ａ、４０ｂのいずれにも映像信号が入力されていない場合には、ビデオデコーダ３３およびバッファ３４への電力供給を停止させる。【００６２】
ＬＥＤ５０ａの点灯色は、ＬＥＤ５０ｂの点灯色と異なる。ＬＥＤ制御部２９は、入力切替制御部２５から映像入力端子１０ａ、１０ｂのいずれに映像信号（ＲＧＢ）が入力されているかを示す信号を受信する。映像信号が映像入力端子１０ａに供給されていることを示す信号を入力切替制御部２５から受信した場合は、ＬＥＤ制御部２９は、第１の点灯パターンでＬＥＤ５０ａを点灯させる。映像信号が映像入力端子１０ｂに供給されていることを示す信号を入力切替制御部２５から受信した場合は、ＬＥＤ制御部２９は、第１の点灯パターンとは異なる第２の点灯パターンでＬＥＤ５０ａを点灯させる。【００６３】
ＬＥＤ制御部２９は、入力切替制御部２６から映像入力端子４０ａ、４０ｂのいずれに映像信号（ビデオ）が入力されているかを示す信号を受信する。映像信号が映像入力端子４０ａに供給されていることを示す信号を入力切替制御部２６から受信した場合は、ＬＥＤ制御部２９は、第３の点灯パターンでＬＥＤ５０ｂを点灯させる。映像信号が映像入力端子４０ｂに供給されていることを示す信号を入力切替制御部２６から受信した場合は、ＬＥＤ制御部２９は、第３の点灯パターンとは異なる第４の点灯パターンでＬＥＤ５０ｂを点灯させる。【００６４】
次に、本実施形態のプロジェクターの動作を説明する。【００６５】
図６に、制御部２０による電源制御および入力切替を含む一連の動作を示す。【００６６】
図６を参照すると、電源制御部２４が、自プロジェクターがスタンバイ状態であるか否かを判定する（ステップＳ４０）。自プロジェクターがスタンバイ状態である場合は、ＤＤＣ／ＣＩ２３ｂ（またはＲＳ２３２Ｃインタフェース部６０）が、接続先の装置の動作状態を検出する（ステップＳ４１）。電源制御部２４が、接続先の装置の動作状態が起動状態であるか否かを判定する（ステップＳ４２）。動作状態が起動状態でない場合は、電源制御部２４が、Ａ／Ｄ変換部１３、バッファ１４、３４およびビデオレコーダ３３の電源供給をそれぞれ停止させた状態とする（ステップＳ６２）。【００６７】
ステップＳ４２において、接続先の装置の動作状態が起動状態であると判定された場合、電源制御部２４が、自プロジェクターが接続先の装置のＲＧＢとビデオのいずれの入力に接続されているかを判定する（ステップＳ４３）。この判定も、接続先の装置の動作状態に基づいて行う。【００６８】
ステップＳ４３にてＲＧＢであると判定された場合は、電源制御部２４が、ビデオ用のバッファ３４への電力供給を停止させ、Ａ／Ｄ変換部１３への電力供給を行わせた状態とする（ステップＳ４４）。【００６９】
Ａ／Ｄ変換部１３への電力供給の開始後、入力切替制御部２５が、映像入力端子１０ａ側の入力が選択されるようにスイッチ３０を制御する（ステップＳ４５）。次に、Ａ／Ｄ変換部１３が、スイッチ３０からの映像信号の有無を判定する（ステップＳ４６）。映像信号有りの場合は、電源制御部２４が、ＲＧＢ用のバッファ１４への伝欲供給を行わせた状態とし（ステップＳ４７）、さらに、電源制御部２４が、Ａ／Ｄ変換部１３への電源供給を停止させた状態とする（ステップＳ４８）。【００７０】
ステップＳ４６の判定結果が映像信号無しである場合は、入力切替制御部２５が、映像入力端子１０ｂ側の入力が選択されるようにスイッチ３０を制御する（ステップＳ４９）。次に、Ａ／Ｄ変換部１３が、スイッチ３０からの映像信号の有無を検出する（ステップＳ５０）。映像信号有りの場合は、ステップＳ４７へ移行する。映像信号無しの場合は、電源制御部２４が、ＲＧＢ用のバッファ１４への電力供給を停止させた状態とし（ステップＳ５１）、その後、ステップＳ４８へ移行する。【００７１】
ステップＳ４３にてビデオであると判定された場合は、電源制御部２４が、ＲＧＢ用のバッファ１４への電力供給を停止させ、ビデオデコーダ３３への電力供給を開始させた状態とする（ステップＳ５２）。【００７２】
ビデオデコーダ３３への電力供給の開始後、入力切替制御部２６が、映像入力端子４０ａ側の入力が選択されるようにスイッチ３２を制御する（ステップＳ５３）。次に、ビデオデコーダ３３が、スイッチ３２からの映像信号の有無を判定する（ステップＳ５４）。映像信号有りの場合は、電源制御部２４が、ビデオ用のバッファ３４への電力供給を行わせた状態とし（ステップＳ５５）、さらに、ビデオデコーダ３３への電源供給を停止させた状態とする（ステップＳ５６）。【００７３】
ステップＳ５４の判定結果が映像信号無しである場合は、入力切替制御部２６が、映像入力端子４０ｂ側の入力が選択されるようにスイッチ３２を制御する（ステップＳ５７）。次に、ビデオデコーダ３３が、スイッチ３２からの映像信号の有無を検出する（ステップＳ５８）。映像信号有りの場合は、ステップＳ５５へ移行する。映像信号無しの場合は、電源制御部２４が、ビデオ用のバッファ３４への電力供給を停止させた状態とし（ステップＳ５９）、その後、ステップＳ５６へ移行する。【００７４】
ステップＳ４０にて動作状態がスタンバイ状態でないと判定された場合またはステップＳ４８、Ｓ５６、Ｓ６０のいずれか処理が行われた場合は、一定時間待ち（ステップＳ６１）、その後、ステップＳ４０に移行する。【００７５】
上述の処理によれば、スタンバイ状態において、映像出力端子１１（または映像出力端子４１）に接続されたプロジェクターが起動状態でない間は、Ａ／Ｄ変換部１３、バッファ１４、３４およびビデオデコーダ３３への電源供給は行われないので、その分、消費電力を低減することができる。【００７６】
また、スタンバイ状態において、映像入力端子１０ａ、１０ｂのいずれにも映像信号（ＲＧＢ）が供給されていない場合は、Ａ／Ｄ変換部１３およびバッファ１４への電源供給は行われない。これと同様に、映像入力端子４０ａ、４０ｂのいずれにも映像信号（ビデオ）が供給されていない場合は、ビデオデコーダ３３およびバッファ３４への電源供給は行われない。これにより、消費電力を低減することができる。【００７７】
本実施形態のプロジェクターを２台用意し、一方のプロジェクターの映像出力端子を他方のプロジェクターの映像入力端子に接続した状態で会議室等に常設する場合の利点について説明する。【００７８】
図７に、２台のプロジェクターを接続した状態を模式的に示す。図７において、プロジェクターＰＪ−Ａ、ＰＪ−Ｂはいずれも図５に示した構成を有する。プロジェクターＰＪ−Ａ、において、ＲＧＢ（１）、ＲＧＢ（２）、ビデオ（１）、ビデオ（２）、ＲＧＢ  ＯＵＴ、ＰＪ−Ｂのそれぞれにおいて、ビデオＯＵＴ、ＲＳ２３２Ｃはそれぞれ、図５に示した映像入力端子１０ａ、１０ｂ、４０ａ、４０ｂ、映像出力端子１１、４１、信号入出力端子４３に対応する。【００７９】
プロジェクターＰＪ−Ａの映像出力端子１１（ＲＧＢ  ＯＵＴ）が、プロジェクターＰＪ−Ｂの映像入力端子１０ａ（ＲＧＢ（１））に接続されている。プロジェクターＰＪ−Ａの映像出力端子４１（ビデオＯＵＴ）が、プロジェクターＰＪ−Ｂの映像入力端子４０ａ（ビデオ（１））に接続されている。プロジェクターＰＪ−Ａの信号入出力端子４３（ＲＳ２３２Ｃ）は、プロジェクターＰＪ−Ｂの信号入出力端子４３（ＲＳ２３２Ｃ）に接続されている。【００８０】
ユーザは、ノート型のパーソナルコンピュータ７０やビデオデッキ７１の映像供給装置をプロジェクターＰＪ−Ａに接続して、それら映像供給装置からの映像信号に基づく画像を、プロジェクターＰＪ−Ａ、ＰＪ−Ｂの一方または両方で投射させることができる。【００８１】
パーソナルコンピュータ７０からの映像信号に基づく画像をプロジェクターＰＪ−Ｂで投射する場合で、プロジェクターＰＪ−Ａの、パーソナルコンピュータ７０が接続された映像入力端子１０ａ側の入力が、スイッチ３０にて選択されていない場合は、プロジェクターＰＪ−Ａにおいて、図６のステップＳ４５〜Ｓ４８の入力切替処理が行われる。この処理により、パーソナルコンピュータ７０が接続された映像入力端子１０ａ側の入力がスイッチ３０にて自動的に選択される。よって、ユーザは、プロジェクターＰＪ−Ａを一旦起動して入力切替操作を行う必要がない。【００８２】
また、ビデオデッキ７１からの映像信号に基づく画像をプロジェクターＰＪ−Ｂで投射する場合で、プロジェクターＰＪ−Ａの、ビデオデッキ７１が接続された映像入力端子４０ａ側の入力が、スイッチ３２にて選択されていない場合は、プロジェクターＰＪ−Ａにおいて、図６のステップＳ４５〜Ｓ４８の入力切替処理が行われる。この処理により、ビデオデッキ７１が接続された映像入力端子４０ａ側の入力がスイッチ３２にて自動的に選択される。この場合も、ユーザは、プロジェクターＰＪ−Ａを一旦起動して入力切替操作を行う必要がない。【００８３】
上記のような入力切替処理において、Ａ／Ｄ用電源供給部２１によるＡ／Ｄ変換部１３への電源供給またはデコーダ用電源供給部２７によるビデオデコーダ３３への電源供給が行われるが、この入力切替処理に要する時間は、ユーザが、プロジェクターＰＪ−Ａを起動して入力切替操作を行う場合に要する時間に比べて極端に短い。よって、電力消費量を削減することができる。【００８４】
なお、図６に示した手順において、ステップＳ４０の前に、ＬＥＤ制御部２９が、ＬＥＤ５０ａ、５０ｂを消灯させるステップと、ステップＳ４６にて信号有りの判定がなされた場合に、ＬＥＤ制御部２９が、ＬＥＤ５０ａを第１の点灯パターンで点灯させるステップと、ステップＳ４９にて信号有りの判定がなされた場合に、ＬＥＤ制御部２９が、ＬＥＤ５０ｂを第２の点灯パターンで点灯させるステップと、ステップＳ５４にて信号有りの判定がなされた場合に、ＬＥＤ制御部２９が、ＬＥＤ５０ｂを第３の点灯パターンで点灯させるステップと、ステップＳ５８にて信号有りの判定がなされた場合に、ＬＥＤ制御部２９が、ＬＥＤ５０ｂを第４の点灯パターンで点灯させるステップと、を設けてもよい。【００８５】
上記のＬＥＤ点灯処理によれば、プロジェクターがスタンバイ状態にある場合、スイッチ３０、３２にて選択されている入力側の映像入力端子に対応する点灯パターンでＬＥＤ５０ａ、５０ｂが点灯制御される。このため、ユーザは、ＬＥＤ５０ａの点灯パターンに基づいて、現在、スイッチ３０にて映像入力端子１０ａ、１０ｂのいずれの側の入力が選択されているかを知ることができる。同様に、ユーザは、ＬＥＤ５０ｂの点灯パターンに基づいて、現在、スイッチ３２にて映像入力端子４０ａ、４０ｂのいずれの側の入力が選択されているかを知ることができる。【００８６】
上記のＬＥＤ点灯を利用することで、ユーザは、図７に示したプロジェクターＰＪ−Ａ、ＰＪ−Ｂを設置する際に、プロジェクターＰＪ−Ａ、ＰＪ−Ｂの間の接続が正確に行われているかを確認することができる。具体的には、プロジェクターＰＪ−Ａ、ＰＪ−Ｂを接続した後、プロジェクターＰＪ−Ａ、ＰＪ−Ｂをそれぞれスタンバイ状態として、映像供給装置をプロジェクターＰＪ−Ａに接続する。この状態で、映像供給装置からプロジェクターＰＪ−Ａに映像信号を供給すれば、プロジェクターＰＪ−Ａ、ＰＪ−Ｂの各ＬＥＤの点灯パターンを確認することで、プロジェクターＰＪ−Ａ、ＰＪ−Ｂの間で誤接続がなされていないかを確認することができる。【００８７】
また、スタンバイ状態になった後、映像信号が入力されるまでの間において、ＬＥＤ制御部２９が、電源オフ時に使用していた点灯パターンでＬＥＤ５０ａ、５０ｂを制御するように構成してもよい。この場合は、ユーザは、映像供給装置をスタンバイ状態のプロジェクターＰＪ−Ａに接続する際に、プロジェクターＰＪ−Ａを起動させることなく、ＬＥＤ５０ａ、５０ｂの点灯パターンに基づいて、現在、どの入力が選択されているかを知ることができる。したがって、ユーザは、映像供給装置を、現在選択されている入力側の映像入力端子に接続することができる。【００８８】
図７に示したシステムは本発明のプロジェクターを用いた画像システムの一例である。図７の例では、２台のプロジェクターが接続されているが、３台以上のプロジェクターを縦続接続してもよい。３台以上のプロジェクターを従属接続する場合は、１台目のプロジェクターの映像出力端子を２台目のプロジェクターの映像入力端子に接続し、２台目のプロジェクターの映像出力端子を３台目のプロジェクターの映像入力端子に接続する、といった接続形態となる。【００８９】
以上説明した各実施形態のプロジェクターは、本発明の一例であり、その構成および動作は発明の趣旨を逸脱しない範囲で適宜に変更することができる。例えば、プロジェクターの接続先はプロジェクターに限定されるものではない。プロジェクターの接続先としては、プロジェクターからの映像信号を処理することのできる装置、例えば、液晶ディスプレイやＣＲＴ等に代表される他の画像表示装置であってもよい。【００９０】
また、各実施形態において、プロジェクターは、ＵＳＢ（Universal  Serial  Bus）用の端子を有していてもよい。ＵＳＢ用の端子には、マウス等の入力装置や半導体メモリ等を接続することが可能である。入力装置をＵＳＢ用の端子に接続した場合は、その入力装置を用いてプロジェクターを操作することが可能である。半導体メモリをＵＳＢ用の端子に接続した場合は、そのメモリ内の情報を表示することが可能である。【００９１】
さらに、第２および第３の実施形態において、Ａ／Ｄ変換部１３やビデオデコーダ３３の信号検出機能を制御部２０が有していてもよい。【００９２】
また、第３の実施形態において、ＬＥＤの代わりに他の発光素子を用いることも可能である。【００９３】
本発明は、プロジェクターの他、液晶ディスプレイやプラズマディスプレイ等に代表される画像表示装置全般に適用することができる。
【図１】
0005473005.tif 000002
【図２】
0005473005.tif 000003
【図３】
0005473005.tif 000004
【図４】
0005473005.tif 000005
【図５】
0005473005.tif 000006
【図６】
0005473005.tif 000007
【図７】
0005473005.tif 000008